(57)【要約】  本発明の一態様では、受信装置に対し、ビット系列を表す第１の無線信号を送信する無線通信装置であって、第１の無線信号は、上述のビット系列を表す第２の無線信号と同時に送信され、第１の無線信号と、第２の無線信号とのうち、所定の割合の成分は、第１の無線信号と第２の無線信号との間で、異なる周波数または異なる時間に配置され、残りの成分は、第１の無線信号と第２の無線信号との間で、同じ周波数かつ同じ時間に配置される。
2014136756.tif 000002
【特許請求の範囲】
【請求項１】
受信装置に対し、ビット系列を表す第１の無線信号を送信する無線通信装置であって、
前記第１の無線信号は、前記ビット系列を表す第２の無線信号と同時に送信され、
前記第１の無線信号と、前記第２の無線信号とのうち、所定の割合の成分は、前記第１の無線信号と前記第２の無線信号との間で、異なる周波数または異なる時間に配置され、残りの成分は、前記第１の無線信号と前記第２の無線信号との間で、同じ周波数かつ同じ時間に配置される無線通信装置。
【請求項２】
前記ビット系列のうち、所定の割合のビットについては、第１のインターリーブを行い、残りのビットについては、第２のインターリーブを行なうインターリーブ部と、
前記インターリーブ部が出力したビット系列から、前記第１の無線信号を生成し、送信する送信部と
を具備し、
前記第２の無線信号は、前記所定の割合のビットについて、前記第１のインターリーブとは異なる第３のインターリーブが行われたビット系列と、前記残りのビットについて、前記第２のインターリーブが行われたビット系列とから生成された無線信号である請求項１に記載の無線通信装置。
【請求項３】
前記ビット系列に基づく複数の変調シンボルに対しＤＦＴ処理を施し、複数のシングルキャリアシンボルを生成するＤＦＴ部と、
前記複数のシングルキャリアシンボルのうち、所定の割合のシングルキャリアシンボルについては、周波数領域で０以上のシフト量である第１のサイクリックシフトを行い、残りのシングルキャリアシンボルについては、周波数領域で０以上のシフト量である第２のサイクリックシフトを行うサイクリックシフト部と、
前記サイクリックシフト部が出力したシングルキャリアシンボルから前記第１の無線信号を生成し、送信する送信部と
を具備し、
前記第２の無線信号は、前記複数のシングルキャリアシンボルのうち、所定の割合のシングルキャリアシンボルについては前記第１のサイクリックシフトとは異なるシフト量の第３のサイクリックシフトが行われ、残りのシングルキャリアシンボルについては前記第２のサイクリックシフトが行なわれた後に生成された無線信号である請求項１に記載の無線通信装置。
【請求項４】
前記第２の無線信号を自装置が生成し、送信する請求項１から請求項３のいずれかの一項に記載の無線通信装置。
【請求項５】
他の無線通信装置と協調して１つの受信装置に対し、前記ビット系列を送信する無線通信装置であって、
前記第２の無線信号は、前記他の無線通信装置により生成され、送信される請求項１から請求項３のいずれかの一項に記載の無線通信装置。
【請求項６】
前記所定の割合を表す情報が、前記受信装置より通知される請求項１から請求項５のいずれかの一項に記載の無線通信装置。
【請求項７】
前記受信装置が前記第１の無線信号と前記第２の無線信号とを分離可能なように、前記所定の割合を決定する割合決定部を具備する請求項１から請求項５のいずれかの一項に記載の無線通信装置。
【請求項８】
同一のビット系列を表す第１の無線信号と第２の無線信号とが空間多重された信号を受信する受信する無線通信装置であって、
前記第１の無線信号と前記第２の無線信号とを分離可能なように、所定の割合を決定する割合決定部と、
前記第１の無線信号または前記第２の無線信号の送信元に、前記割合決定部が決定した割合を通知する割合通知部と
を具備し、
前記第１の無線信号と、前記第２の無線信号とのうち、前記所定の割合の成分は、前記第１の無線信号と前記第２の無線信号との間で、異なる周波数または異なる時間に配置され、残りの成分は、前記第１の無線信号と前記第２の無線信号との間で、同じ周波数かつ同じ時間に配置される無線通信装置。
【請求項９】
前記第１の無線信号と前記第２の無線信号とを分離可能なように、前記所定の割合を決定する割合決定部と、
前記第１の無線信号または前記第２の無線信号の送信元に、前記割合決定部が決定した割合を通知する割合通知部と
を具備する請求項８に記載の無線通信装置。
【請求項１０】
ビット系列を表す第１の無線信号を生成する過程と、受信装置に対し、前記第１の無線信号を送信する過程とを有する無線通信方法であって、
前記第１の無線信号は、前記ビット系列を表す第２の無線信号と同時に送信され、
前記第１の無線信号と、前記第２の無線信号とのうち、所定の割合の成分は、前記第１の無線信号と前記第２の無線信号との間で、異なる周波数または異なる時間に配置され、残りの成分は、前記第１の無線信号と前記第２の無線信号との間で、同じ周波数かつ同じ時間に配置される無線通信方法。
【請求項１１】
同一のビット系列を表す第１の無線信号と第２の無線信号とが空間多重された信号を受信する過程と、前記受信した信号を、前記第１の無線信号の成分と前記第２の無線信号の成分とに分離する過程とを有し、
前記第１の無線信号は、前記ビット系列を表す第２の無線信号と同時に送信され、
前記第１の無線信号と、前記第２の無線信号とのうち、所定の割合の成分は、前記第１の無線信号と前記第２の無線信号との間で、異なる周波数または異なる時間に配置され、残りの成分は、前記第１の無線信号と前記第２の無線信号との間で、同じ周波数かつ同じ時間に配置される無線通信方法。
【発明の詳細な説明】
【技術分野】
【０００１】
本発明は、無線通信装置及び無線通信方法に関する。
本願は、２０１３年３月４日に、日本に出願された特願２０１３−０４２３４０号に基づき優先権を主張し、その内容をここに援用する。
【背景技術】
【０００２】
セルラシステムでは、一般的に基地局装置のエリアの境界付近（セルエッジ）に位置する端末装置が隣接セルからの干渉を受け、良好な伝送特性が得られないという問題が存在する。この問題に対し、複数の送信アンテナを使用した送信ダイバーシチ技術や、複数の基地局装置や送信ポイント間で協調して同一の端末装置宛のデータを送信する協調マルチポイント送受信（ＣｏＭＰ：Coordinated Multi-Point transmission and reception）などが有効である。【０００３】
例えば、送信ダイバーシチ技術では、端末装置において基地局装置との間の伝搬路状況を測定し、その結果をフィードバックした上で、基地局装置側で複数の送信アンテナから送信される同一信号に対し受信特性が良好となるようプリコーディングを行なうビームフォーミング手法が広く検討されている。ビームフォーミングでは受信特性を改善するだけでなく、ＣｏＭＰに適用することでセルエッジにおける干渉問題を克服できるため、注目されている技術である。【０００４】
しかしながら、このようなビームを形成するためには伝送に使用する伝搬路の特性を予め正確に推定する必要があり、端末装置から基地局装置へ大量の伝搬路の情報をフィードバックしなければならない。さらにＣｏＭＰにおいては連携する基地局装置間で高精度な周波数同期が必要となる。そのため、これらに誤差が含まれる場合には著しく特性が劣化する問題を有する。【０００５】
直交時空間ブロック符号（ＯＳＴＢＣ：Ｏｒｔｈｏｇｏｎａｌ  Ｓｐａｃｅ  Ｔｉｍｅ  Ｂｌｏｃｋ  Ｃｏｄｅ）は、フィードバックを要求することなくダイバーシチ効果を得られる点で有効な手法であるが、送信アンテナ本数が２より多い場合、直交符号を空間上で形成するために伝送レートを下げなければならないという問題を有する。【０００６】
上述の複数の問題に対し、発明者らは特許文献１において、プリコーディングのための伝搬路情報を必要とせず、また伝送レートを下げることなく、高いダイバーシチ効果を実現する受信装置、送信装置、受信方法、送信方法およびプログラムを開示している。特許文献１では、送信装置が同一データに対し送信アンテナ毎に異なるインターリーブを適用することで、アンテナ間で独立した信号系列を生成する。受信装置では、分離した各信号系列のビット対数尤度比（ＬＬＲ：Log Likelihood Ratio）をデインターリーブし、同一データのＬＬＲとして合成することにより、復号したビットの信頼性を改善させる。更に合成したＬＬＲから各信号系列のレプリカを生成し、事前情報として受信処理にフィードバックし処理を繰り返す、繰り返し復号により、レイヤ間の干渉を抑圧し、高い送信ダイバーシチ効果を獲得することを可能としている。
【先行技術文献】
【特許文献】
【０００７】
【特許文献１】特開２０１１−０４０６８０号公報
【発明の概要】
【発明が解決しようとする課題】
【０００８】
しかしながら、特許文献１における受信処理では、合成前に信号系列毎に分離する必要があり、各信号系列の復号結果が良好でない場合には、繰り返し復号による改善効果が十分に得られない。その結果、十分な送信ダイバーシチ効果が得られないという問題があった。【０００９】
本発明は、このような事情に鑑みてなされたもので、その目的は、周波数利用効率の高い伝送を行うことができる無線通信装置及び無線通信方法を提供することにある。
【課題を解決するための手段】
【００１０】
（１）この発明は上述した課題を解決するためになされたもので、本発明の一態様は、受信装置に対し、ビット系列を表す第１の無線信号を送信する無線通信装置であって、前記第１の無線信号は、前記ビット系列を表す第２の無線信号と同時に送信され、前記第１の無線信号と、前記第２の無線信号とのうち、所定の割合の成分は、前記第１の無線信号と前記第２の無線信号との間で、同じ周波数かつ同じ時間に配置され、残りの成分は、前記第１の無線信号と前記第２の無線信号との間で、異なる周波数または異なる時間に配置される。【００１１】
（２）また、本発明の他の態様は、（１）に記載の無線通信装置であって、前記ビット系列のうち、所定の割合のビットについては、第１のインターリーブを行い、残りのビットについては、第２のインターリーブを行なうインターリーブ部と、前記インターリーブ部が出力したビット系列から、前記第１の無線信号を生成し、送信する送信部とを具備し、前記第２の無線信号は、前記所定の割合のビットについて、前記第１のインターリーブとは異なる第３のインターリーブが行われたビット系列と、前記残りのビットについて、前記第２のインターリーブが行われたビット系列とから生成された無線信号であってもよい。【００１２】
（３）また、本発明の他の態様は、（１）に記載の無線通信装置であって、前記ビット系列に基づく複数の変調シンボルに対しＤＦＴ処理を施し、複数のシングルキャリアシンボルを生成するＤＦＴ部と、前記複数のシングルキャリアシンボルのうち、所定の割合のシングルキャリアシンボルについては、周波数領域で０以上のシフト量である第１のサイクリックシフトを行い、残りのシングルキャリアシンボルについては、周波数領域で０以上のシフト量である第２のサイクリックシフトを行うサイクリックシフト部と、前記サイクリックシフト部が出力したシングルキャリアシンボルから前記第１の無線信号を生成し、送信する送信部とを具備し、前記第２の無線信号は、前記複数のシングルキャリアシンボルのうち、所定の割合のシングルキャリアシンボルについては前記第１のサイクリックシフトとは異なるシフト量の第３のサイクリックシフトが行われ、残りのシングルキャリアシンボルについては前記第２のサイクリックシフトが行なわれた後に生成された無線信号であってもよい。【００１３】
（４）  本発明の他の態様は、（１）から（３）のいずれかに記載の無線通信装置であって、前記第２の無線信号を自装置が生成し、送信してもよい。【００１４】
（５）また、本発明の他の態様は、（１）から（３）のいずれかに記載の無線通信装置であって、他の無線通信装置と協調して１つの受信装置に対し、前記ビット系列を送信する無線通信装置であって、前記第２の無線信号は、前記他の無線通信装置により生成され、送信されてもよい。【００１５】
（６）また、本発明の他の態様は、（１）から（５）のいずれかに記載の無線通信装置であって、前記所定の割合を表す情報が、前記受信装置より通知されてもよい。【００１６】
（７）また、本発明の他の態様は、（１）から（５）のいずれかに記載の無線通信装置であって、前記受信装置が前記第１の無線信号と前記第２の無線信号とを分離可能なように、前記所定の割合を決定する割合決定部を具備してもよい。【００１７】
（８）また、本発明の他の態様は、同一のビット系列を表す第１の無線信号と第２の無線信号とが空間多重された信号を受信する受信する無線通信装置であって、前記第１の無線信号と前記第２の無線信号とを分離可能なように、所定の割合を決定する割合決定部と、前記第１の無線信号または前記第２の無線信号の送信元に、前記割合決定部が決定した割合を通知する割合通知部とを具備し、前記第１の無線信号と、前記第２の無線信号とのうち、前記所定の割合の成分は、前記第１の無線信号と前記第２の無線信号との間で、異なる周波数または異なる時間に配置され、残りの成分は、前記第１の無線信号と前記第２の無線信号との間で、同じ周波数かつ同じ時間に配置される。【００１８】
（９）また、本発明の他の態様は、（８）に記載の無線通信装置であって、前記第１の無線信号と前記第２の無線信号とを分離可能なように、前記所定の割合を決定する割合決定部と、前記第１の無線信号または前記第２の無線信号の送信元に、前記割合決定部が決定した割合を通知する割合通知部とを具備してもよい。【００１９】
（１０）また、本発明の他の態様は、ビット系列を表す第１の無線信号を生成する過程と、受信装置に対し、前記第１の無線信号を送信する過程とを有する無線通信方法であって、前記第１の無線信号は、前記ビット系列を表す第２の無線信号と同時に送信され、前記第１の無線信号と、前記第２の無線信号とのうち、所定の割合の成分は、前記第１の無線信号と前記第２の無線信号との間で、異なる周波数または異なる時間に配置され、残りの成分は、前記第１の無線信号と前記第２の無線信号との間で、同じ周波数かつ同じ時間に配置される。【００２０】
（１１）また、本発明の他の態様は、同一のビット系列を表す第１の無線信号と第２の無線信号とが空間多重された信号を受信する過程と、前記受信した信号を、前記第１の無線信号の成分と前記第２の無線信号の成分とに分離する過程とを有し、前記第１の無線信号は、前記ビット系列を表す第２の無線信号と同時に送信され、前記第１の無線信号と、前記第２の無線信号とのうち、所定の割合の成分は、前記第１の無線信号と前記第２の無線信号との間で、異なる周波数または異なる時間に配置され、残りの成分は、前記第１の無線信号と前記第２の無線信号との間で、同じ周波数かつ同じ時間に配置される。
【発明の効果】
【００２１】
この発明の一態様によれば、周波数利用効率の高い伝送を行うことができる。
【図面の簡単な説明】
【００２２】
【図１】この発明の第１の実施形態における無線通信システム１０の構成を示す概念図である。
【図２】同実施形態における基地局装置１００の構成を示す概略ブロック図である。
【図３】同実施形態におけるＯＦＤＭ信号生成部１０７−ｍ（ｍ＝１、２、…、Ｍ）の内部構成を示す概略ブロック図である。
【図４】同実施形態における端末装置２００の構成を示す概略ブロック図である。
【図５】同実施形態におけるＯＦＤＭ信号受信処理部２０２−ｎ（ｎ＝１、２、・・・、Ｎ）の内部構成を示す概略ブロック図である。
【図６】同実施形態における繰り返し処理部２０７の構成を示す概略ブロック図である。
【図７】この発明の第２の実施形態における無線通信システム２０の構成を示す概念図である。
【図８】同実施形態における基地局装置３００−１および３００−２の構成を示す概略ブロック図である。
【図９】この発明の第３の実施形態における無線通信システム１０ａの構成を示す概念図である。
【図１０】同実施形態における送信装置である端末装置１００ａの構成を示す概略ブロック図である。
【図１１】同実施形態におけるＤＦＴ−Ｓ−ＯＦＤＭ信号生成部５０１−ｍ（ｍ＝１、２、…、Ｍ）内部構成を示す概略ブロック図である。
【図１２】同実施形態におけるレイヤ処理部６００−ｍの内部構成を示す概略ブロック図である。
【図１３】この発明の第４の実施形態における端末装置１００ｂの構成を示す概略ブロック図である。
【図１４】同実施形態におけるサイクリックシフト量の一例を示す図である。
【図１５】同実施形態における繰り返し処理部２０７ｂの構成を示す概略ブロック図である。
【図１６】同実施形態における各送信アンテナから送信される信号を比較する図である。
【図１７】ＥＸＩＴチャートの一例を示す図である。
【発明を実施するための形態】
【００２３】
［第１の実施形態］
以下、図面を参照しながら、本発明の第１の実施形態について説明する。図１は、本実施形態における無線通信システム１０の構成を示す概念図である。図１に示すように、無線通信システム１０は、Ｍ本の送信アンテナを備える基地局装置１００と、Ｎ本の受信アンテナを備える端末装置２００を含んで構成される。
【００２４】
図２は、本実施形態における基地局装置１００の構成を示す概略ブロック図である。ただし、基地局装置１００から端末装置２００へのデータ送信である下りリンクに関連する部分のみのブロック図としており、上りリンクのデータ受信を行う部分などは省略している。
【００２５】
基地局装置１００は、符号化部１０１、受信アンテナ１０２、制御情報受信部１０３、インターリーブ系列生成部１０４、Ｍ個のインターリーブ部１０５−１〜１０５−Ｍ、参照信号生成部１０６、Ｍ個のＯＦＤＭ信号生成部１０７−１〜１０７−ＭおよびＭ本の送信アンテナ１０８−１〜１０８−Ｍを含んで構成される。なお、インターリーブ部１０５−１〜１０５−Ｍ、ＯＦＤＭ信号生成部１０７−１〜１０７−Ｍなど、符号に枝番が付いている各部は、枝番に対応するレイヤの信号を処理し、送信アンテナ１０８−１〜１０８〜Ｍは、枝番に対応するレイヤの信号を送信する。
【００２６】
基地局装置１００では、伝送する情報ビットであるビット系列Ｔが符号化部１０１に入力される。符号化部１０１は、このビット系列Ｔに対して畳み込み符号、ターボ符号やＬＤＰＣ（Ｌｏｗ  Ｄｅｎｓｉｔｙ  Ｐａｒｉｔｙ  Ｃｈｅｃｋ）符号などの誤り訂正符号化を行う。誤り訂正符号化されたビット系列（符号化ビット系列）は、同一の系列が各レイヤに対応するインターリーブ部１０５−１〜１０５−Ｍに入力される。ただし、符号化ビット系列をレイヤ数に応じて複製するコピー部が備えられ、コピー部から複製された符号化ビット系列が各インターリーブ部に入力される構成としても良い。本実施形態では、送信アンテナの数をＭとし、送信される信号の生成に用いる符号化ビット系列は全ての送信アンテナ１０８−１〜１０８−Ｍで同一である。また、以降、同一符号化ビット系列が送信アンテナ数に応じて複製される数をレイヤ数と称し、送信アンテナ１０８−１〜１０８−Ｍから送信される信号を、それぞれ１〜Ｍ番目のレイヤの信号と定義する。
【００２７】
制御情報受信部１０３は、端末装置２００から送信された自局宛の制御情報を受信アンテナ１０２を介して受信する。制御情報には、インターリーブ系列の制御パラメータρ（ただし、０≦ρ≦１である）が含まれ、制御情報受信部１０３は、該ρをインターリーブ系列生成部１０４に入力する。ただし、制御情報には、端末装置２００が通知するその他の情報が含まれて良い。また、制御情報として受信するその他の情報に基づいてρの値が決定されても良い。例えば、制御情報に含まれる伝搬路情報（ＣＳＩ（Channel State Information）とも称される）に基づいてρが算出されても良い。
【００２８】
インターリーブ系列生成部１０４は、インターリーブ部１０５−１〜１０５−Ｍに入力される（符号化部１０１から出力される）符号化ビットの系列長や端末装置を特定する識別番号等の送信パラメータ、そして制御情報受信部１０３から入力される制御パラメータρに応じてインターリーブ部１０５−１〜１０５−Ｍで用いるインターリーブ系列Π１〜ΠＭを生成する。ただし、ρは、各インターリーブ部１０５−１〜１０５−Ｍに入力される符号化ビットのうち、レイヤ間で異なる位置に並び替えられるビットの割合を示している。
【００２９】
ここで符号化ビットの系列長をＮｃとするとΠｍ（ｍ＝１、２、…、Ｍ）はＮｃ×Ｎｃの行列で示す事ができ、Πｍは各行および各列に1つずつ１を含み、その他の要素を０とする行列である。すなわち、Πｍ＝［πｍ，１、πｍ，２、…、πｍ，ｑ、…、πｍ，Ｎｃ］Ｔとした場合、ｍ番目のレイヤにおけるインターリーブ後のｑ番目のビットがインターリーブ前のｉ番目のビットである時は、πｍ，ｑは、i番目の要素が１であり、その他の要素は０であるＮｃ×１の行ベクトルとなる。ただし［］Ｔは、転置行列を意味する。
よって、例えばπ１，ｑ＝π２，ｑであれば、インターリーブ部１０５−１から出力されるｑ番目のビットとインターリーブ部１０５−２から出力されるｑ番目のビットが同一となる事を示している。
【００３０】
ここで、インターリーブ系列生成部１０４は、制御情報受信部１０３より入力される制御パラメータρで示される割合を超えないように、インターリーブ系列Π１〜ΠＭのうちπ１，ｑ≠…≠πｍ，ｑ≠…≠πＭ，ｑとなるｑの割合を制御する。ρは０〜１の範囲の値をとり、ρは１〜Ｍ番目のレイヤ間でπ１，ｑ≠…≠πｍ，ｑ≠…≠πＭ，ｑとなる割合であり、（１−ρ）が１〜Ｍ番目のレイヤ間でπ１，ｑ＝…＝πｍ，ｑ＝…＝πＭ，ｑとなる割合である。よってρ＝０である場合には、インターリーブ部１０５−１〜１０５−Ｍから出力されるビット系列は同一のインターリーブによる同一の系列となり、ρ＝１である場合には各インターリーブ部１０５−１〜１０５−Ｍから出力されるビット系列は互いに異なる系列となる。
【００３１】
０＜ρ＜１である場合、行列Πｍの何番目の行ベクトルを、他のレイヤと同一にするかの規則はシステムで任意に定められて良い。例えば行数Ｎｃのうち１番目から（１−ρ）Ｎｃ番目までを同一としても良いし、変調部１１１−ｍにおいてＮｃ個の符号化ビットから生成されるＮｓ個の変調シンボルのうち1番目のシンボルから（１−ρ）Ｎｓ番目のシンボルに相当する符号化ビットに該当する行を同一としても良い。また、（１−ρ）Ｎｃあるいは（１−ρ）Ｎｓが整数とならない場合に、天井関数を用いて（１−ρ）Ｎｃ以上あるいは（１−ρ）Ｎｓ以上となる最小の整数として定められて良い。但し、該規則は受信装置である端末装置２００においても既知である。
【００３２】
また、本実施形態では０≦ρ≦１の任意の値としたが、ρの取りうる値を制限する事も可能である。例えば選択可能な値が０≦ρ≦１で０．１２５刻みの９種類としても良いし、設定可能な範囲を０≦ρ≦０．５と制限しても良い。これらの制御によりρを通知するための制御情報量を低減することが可能である。なお、ρそのものではなく、ρを表す値として同一のインターリーブ系列を用いるビット数ｑを通知するようにしてもよい。
【００３３】
なお、インターリーブ系列生成部１１０は、送信機会毎にインターリーブ系列を生成し、生成したインターリーブ系列を示す情報を、データ（ビット系列Ｔ）と共に端末装置２００に通知するようにしてもよい。
【００３４】
インターリーブ部１０５−１〜１０５−Ｍでは、インターリーブ系列生成部１０４から各々に通知されるインターリーブ系列に従い、符号化ビットのビット順の並び変えが行われる。例えば、符号化部１０１より入力される符号化ビット系列がｃ＝［ｃ１、ｃ２、…、ｃＮｃ］Ｔで表わされる場合、インターリーブ部１０５−ｍにおける処理はインターリーブ系列生成部１０４より入力されるΠｍを用いて次式（１）により実現できる。ただし式（１）におけるｃ´ｍは、インターリーブ部１０５−ｍより出力されるインターリーブ後のビット系列を表すベクトルである。
【００３５】
【数１】
2014136756.tif 000003
【００３６】
なお、本実施形態ではインターリーブ系列生成部１０４およびインターリーブ部１０５−１〜１０５−Ｍにおけるインターリーブ処理は行列演算により示したが、任意の回路により同様の処理を実現して良い。
【００３７】
参照信号生成部１０６は、各レイヤ１〜Ｍに対応し、かつ送信先である端末装置２００において既知である参照信号（パイロット信号）を生成し、それぞれＯＦＤＭ信号生成部１０７−１〜１０７−Ｍに入力する。ここで、ダウンリンクにおける参照信号、すなわち参照信号生成部１０６で生成される参照信号には、伝送に用いる帯域を決定する用途の参照信号と復調に用いる参照信号があり、例えばＬＴＥやＬＴＥ−Ａでは、Ｃｏｍｍｏｎ−ＲＳ（Ｒｅｆｅｒｅｎｃｅ  Ｓｉｇｎａｌ）、ＣＲＳ（Ｃｅｌｌ  Ｓｐｅｃｉｆｉｃ  ＲＳ）、ＣＳＩ−ＲＳ（Ｃｈａｎｎｅｌ  Ｓｔａｔｅ  Ｉｎｆｏｒｍａｔｉｏｎ  ＲＳ）、ＤＭ（Ｄｅ−Ｍｏｄｕｌａｔｉｏｎ）−ＲＳと呼ばれるものがある。
【００３８】
ＯＦＤＭ信号生成部１０７−１〜１０７−Ｍは、それぞれインターリーブ部１０５−１〜１０５−Ｍから入力される符号化ビット、および参照信号生成部１０６から入力される各レイヤの参照信号を用いてＯＦＤＭ信号を生成し、送信アンテナ１０８−１〜１０８−Ｍを介して生成した信号を端末装置２００へ送信する。
【００３９】
ただし、ＯＦＤＭ信号生成部１０７−１〜１０７−Ｍは同様の信号処理を行なうため、代表してＯＦＤＭ信号生成部１０７−ｍ（ｍ＝１、２、…、Ｍ）の内部構成を図３に示す。ＯＦＤＭ信号生成部１０７−ｍは、変調部１１１−ｍ、周波数マッピング部１１２−ｍ、ＩＦＦＴ部１１３−ｍ、ＣＰ挿入部１１４−ｍおよび無線送信部１１５−ｍを含んで構成される。
【００４０】
インターリーブ部１０５−ｍによりビットの並び順を入れ替えられた符号化ビット系列は、変調部１１１−ｍに入力される。変調部１１１−ｍは、符号化ビット系列に、ＱＰＳＫ（Quaternary Phase Shift Keying；四相位相偏移変調）、１６ＱＡＭ（16-ary Quadrature Amplitude Modulation；１６直交振幅変調）などの変調を施し、周波数マッピング部１１２-ｍに入力する。
【００４１】
周波数マッピング部１１２−ｍには、変調部１１１−ｍにより変調された変調信号と、参照信号生成部１０６より参照信号とが入力される。周波数マッピング部１１２−ｍは、入力された変調信号と参照信号を伝送に用いる周波数帯域（サブキャリア）に割り当て、周波数信号群を生成する。
【００４２】
ＩＦＦＴ部１１３−ｍは、周波数マッピング部１１２−ｍで生成された周波数信号群を、ＩＦＦＴ（Inverse Fast Fourier Transform：逆高速フーリエ変換）により時間領域の信号へ変換する。
【００４３】
ＣＰ挿入部１１４−ｍは、ＩＦＦＴ部１１３−ｍが生成した時間領域の信号に、ＣＰ（Ｃｙｃｌｉｃ  Ｐｒｅｆｉｘ；サイクリックプレフィックス）を挿入する。
【００４４】
無線送信部１１５−ｍは、ＣＰ挿入部１１４−ｍによりＣＰが挿入された信号を、Ｄ／Ａ（Ｄｉｇｉｔａｌ／Ａｎａｌｏｇ；ディジタル／アナログ）変換でアナログ信号に変換した後、伝送に使用する無線周波数にアップコンバートする。さらに無線送信部１１５−ｍは、アップコンバートした信号を、ＰＡ（Ｐｏｗｅｒ  Ａｍｐｌｉｆｉｅｒ）で送信電力を増幅する等の処理を行ない、送信アンテナ１０８−ｍに出力する。
【００４５】
上述のように、ＯＦＤＭ信号生成部１０７−１〜１０７−Ｍで生成された各レイヤの周波数信号群は、インターリーブ系列生成部１０４が生成するインターリーブ系列がレイヤ間で異なるために、レイヤ間で異なる周波数信号群となる。なお、本実施形態では、レイヤの数と、送信アンテナの数とが一致しており、各レイヤの信号を、各送信アンテナで送信するとして説明した。しかし、送信アンテナの数は、レイヤの数と同一か多ければよく、周波数マッピング部１１２−１~１１２−Ｍが生成した周波数信号群に、送信アンテナ数×レイヤ数のプレコーディング行列を乗じて、送信するようにしてもよい。
【００４６】
ただし、本実施形態では、図２におけるインターリーブ部１０５−１〜１０５−Ｍは、符号化部１０１から入力されるように配置したが、図３に示すＯＦＤＭ信号生成部１０７−ｍ内の変調部１１１−ｍ（ｍ＝１、２、…、Ｍ）の後に配置されても良い。これにより変調シンボル単位でのインターリーブを行なうことができる。
【００４７】
また、図２におけるインターリーブ部１０５−１〜１０５−Ｍにおいては、ρで設定されるρＮｃビットに対してのみレイヤ間で異なるビットインターリーブを行ない、図３に示すＯＦＤＭ信号生成部１０７−ｍ内の変調部１１１−ｍの後に、第２のインターリーブ部を配置し、変調部１１１−ｍより出力されるシンボル系列全体に対して、レイヤ間で同一のシンボルインターリーブを施す形態としても良い。このような構成により、シンボル系列全体のうち（１−ρ）の割合の変調シンボルをレイヤ間で同一時刻および同一周波数で送信しつつ、シンボル系列全体でインターリーブを施す事ができるため、良好な特性が得られる。
【００４８】
図４は、本実施形態における端末装置２００の構成を示す概略ブロック図である。端末装置２００は、Ｎ個の受信アンテナ２０１−１〜２０１−Ｎ、Ｎ個のＯＦＤＭ信号受信処理部２０２−１〜２０２−Ｎ、伝搬路推定部２０３、インターリーバ制御部２０４、制御情報生成部２０５、送信アンテナ２０６および繰り返し処理部２０７を含んで構成される。
【００４９】
図４の端末装置２００では、受信アンテナ２０１−１から受信アンテナ２０１−Ｎを用いて、基地局装置１００から送信された信号が受信される。基地局装置１００の送信アンテナ数Ｍと端末装置２００の受信アンテナ数Ｎとは、異なっていても良いし、同一でも良い。また、端末装置２００の受信アンテナ数Ｎは必ずしも複数でなくても良い。受信アンテナ２０１−１〜２０１−Ｎの各々で受信された信号は、それぞれＯＦＤＭ信号受信処理部２０２−１〜２０２−Ｎに入力され、それぞれ受信処理が施されるが、ＯＦＤＭ信号受信処理部２０２−１〜２０２−Ｎにおける処理は同様であるため、ここでは、代表してＯＦＤＭ信号受信処理部２０２−ｎ（ｎ＝１、２、・・・、Ｎ）としてその内部構成を図５に示す。
【００５０】
ＯＦＤＭ信号受信処理部２０２−ｎは、無線受信部２１１−ｎ、ＣＰ除去部２１２−ｎ、ＦＦＴ部２１３−ｎおよび周波数デマッピング部２１４−ｎを含んで構成される。
【００５１】
無線受信部２１１−ｎは、受信アンテナ２０１−ｎが受信した信号をベースバンド周波数にダウンコンバートし、Ａ／Ｄ（Analog to Digital）変換によってディジタル信号に変換した後、ＣＰ除去部２１２−ｎに出力する。
【００５２】
ＣＰ除去部２１２−ｎは、入力されたディジタル信号からＣＰを除去し、ＦＦＴ部２１３−ｎに出力する。
【００５３】
ＦＦＴ部２１３−ｎは、ＣＰが除去された信号を高速フーリエ変換することで、時間領域から周波数領域の信号に変換し、周波数デマッピング部２１４−ｎに出力する。
【００５４】
周波数デマッピング部２１４−ｎは、ＦＦＴ部２１３−ｎから入力された周波数領域の信号から、時間・周波数で多重されているデータ信号と参照信号をそれぞれ抽出し、データ信号を繰り返し処理部２０７へ、参照信号を伝搬路推定部２０３へそれぞれ出力する。
【００５５】
図４に戻り、伝搬路推定部２０３には、ＯＦＤＭ信号受信処理部２０２−１〜２０２−Ｎ（図５における周波数デマッピング部２１４−１〜２１４−Ｎ）において抽出された参照信号が入力される。伝搬路推定部２０３は、入力された参照信号に基づき、基地局装置１００の送信アンテナ１０８−１〜１０８−Ｍと、端末装置２００の受信アンテナ２０１−１〜２０１−Ｎとの組み合わせ毎の伝搬路の周波数応答を推定する。得られた周波数応答の推定値はインターリーバ制御部２０４および繰り返し処理部２０７に出力される。
【００５６】
繰り返し処理部２０７は、ＯＦＤＭ信号受信処理部２０２−１〜２０２−Ｎ（図５における周波数デマッピング部２１４−１〜２１４−Ｎ）で抽出されたデータ信号から、伝搬路推定部２０３で推定された伝搬路の周波数応答を用いて、基地局装置１００が送信したビット系列を復元し、ビット系列として出力する。繰り返し処理部２０７では、ビット系列を復元する際に、干渉除去と、誤り訂正符号の復号とを繰り返し行うターボ等化が適用される。
【００５７】
図６は、繰り返し処理部２０７の構成を示す概略ブロック図である。繰り返し処理部２０７は、Ｎ個のキャンセル部２２１−１〜２２１−Ｎ、重み生成部２２２、ＭＩＭＯ（Multi-Input Multi-Output；多入力多出力）分離部２２３、Ｍ個のレイヤ処理部２２４８−１〜２２４−Ｍ、合成部２２８、復号部２２９、レプリカ生成部２３２およびインターリーブ系列生成部２３３を含んで構成される。レイヤ処理部２２４−１〜２２４−Ｍの各々は、送信アンテナ１０８−１〜１０８−Ｍのうち、それぞれの枝番に対応する信号の処理を行う。レイヤ処理部２２４−１〜２２４−Ｍの各々は、加算部２２５、復調部２２６、デインターリーブ部２２７、インターリーブ部２３０、シンボルレプリカ生成部２３１を含んで構成される。なお、以降では、加算部２２５、復調部２２６、デインターリーブ部２２７、インターリーブ部２３０、シンボルレプリカ生成部２３１に、属するレイヤ処理部と同じ枝番を付し、レイヤ処理部２２４−１の復調部２２６は、復調部２２６−１というように表記する。
【００５８】
ＯＦＤＭ信号受信処理部２０２−１〜２０２−Ｎが繰り返し処理部２０７に出力したデータ信号は、それぞれ対応するキャンセル部２２１−１〜２２１−Ｎに入力される。すなわち、ＯＦＤＭ信号受信処理部２０２−１が出力したデータ信号は、キャンセル部２２１−１に入力され、ＯＦＤＭ信号受信処理部２０２−２で出力されたデータ信号は、キャンセル部２２１−２に入力される。また、伝搬路推定部２０３により推定された各伝搬路の周波数応答はレプリカ生成部２３２と重み生成部２２２に入力される。
【００５９】
キャンセル部２２１−１は、ＯＦＤＭ信号受信処理部２０２−１から入力されたデータ信号から、レプリカ生成部２３２より入力される受信アンテナ２０１−１の受信信号のレプリカを減算し、減算後の残留信号を、ＭＩＭＯ分離部２２３に出力する。同様に、キャンセル部２２１−２〜２２１−Ｎの各々も、ＯＦＤＭ信号受信処理部２０２−２〜２０７−Ｎのうち、対応するものから入力されたデータ信号から、レプリカ生成部２３２より入力される、対応する受信アンテナの受信信号のレプリカを減算し、減算後の残留信号を、ＭＩＭＯ分離部２２３に出力する。ただし、キャンセル部２２１−１〜２２１−Ｎでは、復号部２２９の出力がない繰り返しの１回目の処理では、何もせずに、入力されたデータ信号がそのままＭＩＭＯ分離部２２３に出力される。
【００６０】
重み生成部２２２は、送信アンテナ１０８−ｍと受信アンテナ２０１−ｎとの間の周波数応答推定値Ｈｍｎが入力され、各受信アンテナで受信した信号から送信アンテナ毎の信号に分離するための重みを生成する。ただし、ｍは送信アンテナのインデックスで１≦ｍ≦Ｍを満たし、ｎは受信アンテナのインデックスで１≦ｎ≦Ｎを満たす。また、生成する重みは、ＭＭＳＥ（Minimum Mean Square Error; 最小平均自乗誤差）重みやＺＦ（ZeroForcing）重み等である。生成された重みは、ＭＩＭＯ分離部２２３に入力される。
【００６１】
ＭＩＭＯ分離部２２３は、キャンセル部２２１−１〜２２１−Ｎが出力した残留信号に対して、重み生成部２２２より入力された重みを乗算することにより、送信アンテナ１０８−１〜１０８−Ｍ各々に対応するレイヤの信号にＭＩＭＯ分離する。ＭＩＭＯ分離部２２３は、ＭＩＭＯ分離した信号を、レイヤ処理部２２４−１〜２２４−Ｍのうち、対応するレイヤを処理するブロックに出力する。例えば、ＭＩＭＯ分離された送信アンテナ１０８−１からの信号は、レイヤ処理部２２４−１の加算部２２５−１に出力し、送信アンテナ１０８−２の信号は、レイヤ処理部２２４−２の加算部２２５−２に出力する。
【００６２】
加算部２２５−１は、ＭＩＭＯ分離部２２３から入力された信号に、後述するシンボルレプリカ生成部２３１−１が生成したシンボルレプリカを加算し、その演算結果を復調部２２６−１に出力する。加算部２２５−２〜２２５−Ｍも、同様に、ＭＩＭＯ分離部２２４から入力された信号に、各々に対応するシンボルレプリカを加算する。復調部２２６−１〜２２６−Ｍの各々は、基地局装置１００で施された変調方式に対応する復調を、対応する加算部２２５−１〜２２５−Ｍから入力された信号に対して行い、符号化ビット系列のビットＬＬＲ（ＬＬＲ：Ｌｏｇ  Ｌｉｋｅｌｉｈｏｏｄ  Ｒａｔｉｏ；対数尤度比）に変換する。復調部２２６−１〜２２６−Ｍの各々では、このビットＬＬＲは、デインターリーブ部２２７−１〜２２７−Ｍのうち、対応するレイヤを処理するブロックに出力される。例えば、復調部２２６−１は、デインターリーブ部２２７−１に出力し、復調部２２６−２は、デインターリーブ部２２７−２に出力する。
【００６３】
デインターリーブ部２２７−１〜２２７−Ｍは、入力されたビットＬＬＲに対して、インターリーブ系列生成部２３３から指定されたインターリーブ系列と逆の並び換えを行う。すなわち、デインターリーブ部２２７−１〜２２７−Ｍは、入力されたビットＬＬＲに対して、基地局装置１００のインターリーブ部１０５−１〜１０５−Ｍのうち、対応するインターリーブ部１０５で行ったインターリーブとは逆の並び換えを行う。例えば、デインターリーブ部２２７−１では、インターリーブ部１０５−１の並び換えを元に戻す並び換えが行われ、デインターリーブ部２２７−２では、インターリーブ部１０５−２の並び換えを元に戻す並び換えが行われる。前述のようにｍ番目のレイヤに対応するインターリーブ部１０５−ｍで用いられたインターリーブ系列がΠｍで表わされる場合、デインターリーブ部２２７−ｍで用いられるＮｃ×Ｎｃのデインターリーブ系列Φｍは次式（２）のようにインターリーブ系列Πｍの転置行列となる。
【００６４】
【数２】
2014136756.tif 000004
【００６５】
よってデインターリーブ部２２７−ｍに入力されるＬＬＲがＮｃ×１のベクトルλ’ｍとすると、デインターリーブ後のＬＬＲλｍは次式で示される。
【００６６】
【数３】
2014136756.tif 000005
【００６７】
ここで、デインターリーブ部２２７−ｍの出力するｋ番目のビットＬＬＲをλｍ（ｋ）と表記する。ただし、λｍ（ｋ）はｍ番目の送信アンテナ１０８−ｍにおけるインターリーブ前のｋ番目のビットに対応する符号化ビットのビットＬＬＲである。デインターリーブ部２２７−ｍでは、λｍ（ｋ）が、合成部２２８に出力される。
【００６８】
合成部２２８には、送信アンテナ１０８−１〜１０８−Ｍ各々のビットＬＬＲであるλ１（ｋ）、λ２（ｋ）、…、λＭ（ｋ）が入力されるが、送信アンテナ１０８−１〜１０８−Ｍ各々より送信された符号化ビットは、基地局装置１００の符号化部1０１の出力である符号化ビットに対応するものであり、その元となるビット系列は同一のものである。
そのため、これらのビットＬＬＲは合成が可能である。合成部２２８は、次式（４）によって、これらのビットＬＬＲを合成し、合成後のビットＬＬＲであるλＡ（ｋ）を算出する。
【００６９】
【数４】
2014136756.tif 000006
【００７０】
ただし、本実施形態では式（４）に示した合成法としているが、ＬＬＲの合成時に重みづけ合成を行ってもよい。また受信信号が再送信号である場合、前回までのＬＬＲを保持しておき、合成部２２８で合成してもよい。
復号部２２９は、合成部２２８の出力λＡ（ｋ）に対して、誤り訂正復号を施す。繰り返し回数が所定の回数に達したときなど、ターボ等化の繰り返し処理を続けて行わない場合には、復号部２２９は、誤り訂正復号結果のビットＬＬＲを硬判定し、硬判定結果を、ビット系列Ｒとして出力する。
【００７１】
一方、繰り返し処理を続けて行う場合には、復号部２２９は、復号結果のビットＬＬＲを、送信アンテナ１０８−１〜１０８−Ｍの数だけ複製し、インターリーブ部２３０−１〜２３０−Ｍに入力する。インターリーブ部２３０−１〜２３０−Ｍの各々では、入力されたビットＬＬＲに対して、インターリーブ系列生成部２３３から指定されたインターリーブ系列に従い、ビットの並び換えを行う。すなわち、インターリーブ部２３０−１〜２３０−Ｍの各々は、入力されたビットＬＬＲに対して、基地局装置１００のインターリーブ部１０５−１〜１０５−Ｍのうち、対応するインターリーブ部１０５で施したビットの並び換えと、同様の並び換えを施す。例えば、インターリーブ部２３０−１では、インターリーブ部１０５−１と同様の並び換えが行われ、インターリーブ部２３０−２では、インターリーブ部１０５−２と同様の並び換えが行われる。
【００７２】
シンボルレプリカ生成部２３１−１〜２３１−Ｍは、インターリーブ部２３０−１〜２３０−Ｍによりそれぞれの並び換えが行われたビットＬＬＲに対して、基地局装置１００で施された変調方式を用いて変調を施し、各送信アンテナ１０８−１〜１０８−Ｍから送信された信号のレプリカを生成する。なお、ここで生成されるレプリカはビットＬＬＲから生成される期待値に比例した振幅を有するソフトレプリカであることを前提とする。レプリカ生成部２３２は、シンボルレプリカ生成部２３１−１〜２３１−Ｍから出力される、全ての送信アンテナのレプリカおよび、伝搬路推定部２０３から入力される伝搬路推定値を用いて、受信アンテナ２０１−１〜２０１−Ｎの各々における受信信号レプリカを生成する。レプリカ生成部２３２で生成された受信信号レプリカは、キャンセル部２２１−１〜２２１−Ｎに入力され、キャンセル部２２１−１〜２２１−Ｎにて受信信号から減算される。これらの処理を繰り返すことにより、受信処理を行う。
【００７３】
インターリーブ系列生成部２３３は、図２のインターリーブ系列生成部１０４と同様に、インターリーバ制御部２０４が決定した制御パラメータρに従い、インターリーブ系列Πｍ（ｍ＝１、２、・・・、Ｍ）を生成し、それぞれ対応するデインターリーブ部２２７−１、・・・２２７−Ｍと、インターリーブ部２３０−１、２３０−Ｍとに入力する。
【００７４】
インターリーバ制御部２０４は、伝搬路推定部２０３で推定された伝搬路の周波数応答を用いて基地局装置１００に通知する制御パラメータρの値を決定する。制御パラメータρは前述したように、基地局装置１００において生成される符号化ビット系列のうち、レイヤ間で異なるインターリーブが行われるビットの割合である。異なるインターリーブが用いられた場合、各レイヤで送信される信号は異なるシンボルマッピングに基づく送信シンボル系列として端末装置２００で受信されるため、１つの情報が多数のシンボルに拡散され、高い符号ダイバーシチ効果を獲得することができる。一方で異なるインターリーブにより送信された複数のレイヤの信号は端末装置２００において互いに干渉となるため、干渉除去が不可能であった場合には、特性劣化の原因となる。よってインターリーバ制御部２０４は、繰り返し処理部２０７における干渉の除去能力と、伝搬路推定部２０３から入力される伝搬路の周波数応答から、干渉を除去可能なρを推定し、制御情報生成部２０５に出力する。
【００７５】
ρの推定の方法には任意の方法が用いられて良いが、例として繰り返し処理部２０７においてキャンセル部２２１−１〜２２１−Ｎから合成部２２８と復号部２２９との間の符号ビットのＬＬＲの交換を視覚的に分析するＥＸＩＴ（EXtrinsic Information Transfer：外部情報交換）チャートに基づく方法を説明する。図１７にＥＸＩＴチャートの一例を示す。図１７の横軸（decoder MI）は復号部２２９から出力されるＬＬＲの相互情報量（MI：Mutual Information）であり、すなわちキャンセル部２２１−１〜２２１−Ｎにレプリカとして入力される相互情報量である。図１７の縦軸（demapper MI）は合成部２２８から出力されるＬＬＲの相互情報量であり、すなわち復号部２２９に入力される相互情報量である。
【００７６】
図１７の破線Ｌ１は所定の符号化率を用いた時の復号器曲線を示しており、復号部２０７に対し縦軸の相互情報量が入力された際に得られる相互情報量の値（横軸）を示している。また、実線Ｌ２、実線Ｌ３および実線Ｌ４は、インターリーブの制御パラメータρをそれぞれρ＝０、ρ＝１／２、ρ＝１とした場合のデマッパ曲線であり、横軸の相互情報量がレプリカとしてキャンセル部２２１−１〜２２１−Ｎにフィードバックされた際の合成部２２８の出力の相互情報量の値（縦軸）を示している。よって、繰り返しの初回、すなわちキャンセル部２２１−１〜２２１−Ｎにレプリカが存在しない場合に合成部２２８より出力されるＬＬＲの相互情報量は横軸が０における実線Ｌ２〜Ｌ４の値である。
【００７７】
また、該相互情報量を縦軸とした時の破線Ｌ１の横軸の値が復号部２２９から出力される相互情報量であり、生成されるレプリカの信頼性、すなわち繰り返し後のキャンセル部２２１−１〜２２１−Ｎに入力される相互情報量となる。よって破線Ｌ１と実線Ｌ２〜Ｌ４が交差しない限り、繰り返し復号により復号後のＬＬＲの信頼性が向上することを意味する。
【００７８】
ここで実線Ｌ２、Ｌ３、Ｌ４を比較すると、Ｌ２およびＬ４は破線Ｌ１と交差しており、繰り返し復号の途中で相互情報量が増加しない状態になる事がわかる（この状態をスタックすると称する）。つまりここでは、ρ＝０としてレイヤ間で同一のインターリーブを用いた場合や、ρ＝１としてレイヤ間ですべて異なるインターリーブを用いた場合に復号後のＬＬＲに十分な信頼性が得られず、誤りが発生することを意味している。よって図１４の例では３本の実線Ｌ２、Ｌ３、Ｌ４の中で実線Ｌ３を用いることで繰り返し復号の誤り率を低減することができ、ρ＝０．５と設定することが良い事がわかる。
【００７９】
このようにＥＸＩＴチャート上で、ρのパラメータにより変化するデマッパ曲線と、使用する符号化率に基づく復号器曲線を比較し、交差しないデマッパ曲線を選択することで適切なρを推定することができる。ただし、これらの曲線はフェージングや雑音で変動する特性であり、交差しない場合においても曲線同士が接近するほど繰り返し処理中にスタックする確率が増加する。よってρを決定する基準としてρの値により定まるデマッパ曲線の終点と、復号器曲線の終点を比較することが有効となる。ここで終点とは、デマッパ曲線においては入力される相互情報量が１となる点、復号器曲線においては出力される相互情報量が１となる点と定義する。ただし、ここではそれぞれ１としたが、例えば０．９９９のようなその他の値を基準としても良い。そしてデマッパ曲線の終点における出力相互情報量＞復号器曲線の終点における入力相互情報量を満たす最小のρを選択する。このようにρを選択することで、特に繰り返し処理の序盤でスタックする確率を抑えつつ終点まで相互情報量の交換が可能となる。またデマッパ曲線の終点は一般的に次式（５）を満たす。
【００８０】
【数５】
2014136756.tif 000007
【００８１】
ただし、Ｉｅｎｄ（ρ）は、ρを用いた際のデマッパ曲線の終点における出力相互情報量である。さらに、Ｉｅｎｄ（０）は、ρ＝０、すなわちレイヤ間で同一のインターリーブを用いた場合のデマッパ曲線の終点における出力相互情報量であり、Ｉｅｎｄ（１）は、ρ＝１、すなわちレイヤ間ですべて異なるインターリーブを用いた場合のデマッパ曲線の終点における出力相互情報量である。これらはＪ関数を用いることにより算出することができる。数式（５）はデマッパ曲線の出力相互情報量がρの値に比例することを前提としてＩｅｎｄ（０）およびＩｅｎｄ（１）からその他の値のρの終点を算出する式となっている。よってインターリーバ制御部２０４は、Ｉｅｎｄ（０）とＩｅｎｄ（１）を伝搬路情報から算出した上で、数式（５）から復号器曲線の終点における入力相互情報量より大きい最小の値をρと設定する。なお、インターリーバ制御部２０４は、伝搬路情報がとり得る値各々と、Ｉｅｎｄ（０）とＩｅｎｄ（１）の値とを対応付けたテーブルを予め記憶しておき、該テーブルを用いてＩｅｎｄ（０）とＩｅｎｄ（１）を取得するようにしてもよい。
【００８２】
制御情報生成部２０５はインターリーバ制御部２０４から入力されるインターリーブの制御パラメータρから制御情報を生成し、上り制御信号として無線信号に変換した後、定められた送信タイミングで送信アンテナ２０６から基地局装置１００へ送信する。ただし、ρから生成する制御情報には、基地局装置１００と端末装置２００との間の伝搬路情報や下り信号の受信成否を示す情報等、基地局装置１００へ通知するその他の任意の制御情報が含まれて良い。
【００８３】
ただし、本実施形態では端末装置２００がインターリーバ制御部２０４を備え、該インターリーバ制御部２０４においてρを選択する形態を示したが、インターリーバ制御部２０４は基地局装置１００が備えていても良い。この場合、基地局装置１００が端末装置２００から通知される伝搬路情報やその他の制御情報に基づいて前述のインターリーバ制御部２０４と同様にρを選択することで本実施形態と同様の動作を実現できる。また、基地局装置１００で既知である任意の情報でρを決定しても良い。
【００８４】
また本実施形態において、いかなるρを用いる場合においてもＭＩＭＯ分離部によって信号を分離し、合成部２２８においてＬＬＲを合成する例を示したが、基地局装置１００の全送信アンテナで同じスペクトルを送信している場合、ＭＩＭＯ分離部２２３で各送信アンテナが送信する信号を信号分離せず、最大比合成することで得られる信号を用いてＬＬＲを算出し、復号部２２９に入力する構成としてもよい。この場合、繰り返し処理による計算量の増大を防ぐことができる。
【００８５】
なお、本実施形態では、基地局装置１００において、各レイヤの信号を、それぞれ対応する送信アンテナから送信する構成としたが、周波数マッピング部１１２−１〜１１２−Ｍの出力に対して、プレコーディング行列を乗算して、各送信アンテナから送信する信号を生成する構成としてもよい。そのような構成としても、本実施形態と同様に、複数のレイヤで送信された信号を、ＭＩＭＯ分離した後に合成部２２８で合成することで、効率良く合成することができる。
【００８６】
また本実施形態では、全ての送信アンテナで同一の符号化ビット系列から構成される信号を送信する例を示したが、これに限定されない。例えば４本アンテナを備える基地局装置１００において、３本の送信アンテナに関しては本実施形態で示した送信方法を適用し、残りの１本では、異なるビット系列を符号化して得られる符号化ビット系列を送信する。つまり、一般に空間多重と呼ばれる技術を組み合わせることができる。
【００８７】
このように本実施形態の送信装置である基地局装置１００は、同一の符号化ビットに対して使用するレイヤ毎にインターリーブし、ＯＦＤＭ信号を生成した後に各レイヤに対応する送信アンテナから送信する。このとき、各レイヤで使用されるインターリーブパターンについて所定の割合のビットに対してはレイヤ間で異なる位置への並び替えが行なわれ、その他のビットに対してはレイヤ間で同一の位置への並び替えが行なわれる。このようなインターリーブ処理を行なうことにより、レイヤ間で異なる位置への並び替えが行なわれるビットにおいて高いダイバーシチ効果を獲得しつつ、同一の位置への並び替えが行われるビットについてはレイヤ間の干渉を抑えることができる。よって上記所定の割合を適切に制御する事により、受信装置である端末装置２００における繰り返し処理において、レイヤ間の残留干渉を低減しつつ、高いダイバーシチ効果を得ることができ、周波数利用効率の高い伝送を行なうことができる。
【００８８】
［第２の実施形態］
以下、図面を参照しながら、本発明の第２の実施形態について説明する。図７は、本実施形態における無線通信システム２０の構成を示す概念図である。無線通信システム２０は、下りリンクにおいて、協調マルチポイント送受信（ＣｏＭＰ）を行う。すなわち、２局の基地局装置３００−１、３００−２が、１局の端末装置４００に同一のデータを送信している。ここで、第１の基地局装置３００−１と、第２の基地局装置３００−２とは、同様の構成であるが、各々が備えるインターリーバにおいて並び替えのパターンを互いに異なるものに設定することができる。また、端末装置４００は、第１の実施形態における端末装置２００と同様の構成である。
【００８９】
図８は、基地局装置３００−１および３００−２の構成を示す概略ブロック図である。
基地局装置３００−１は、符号化部３０１−１、受信アンテナ３０２−１、制御情報受信部３０３−１、インターリーブ系列生成部３０４−１、インターリーブ部３０５−１、参照信号生成部３０６−１、ＯＦＤＭ信号生成部３０７−１および送信アンテナ３０８を含んで構成される。協調する基地局（ここでは、基地局装置３００−２）についても同様の構成とし、各部の枝番号を＊−２として示している。
【００９０】
基地局装置３００−１および３００−２が備える符号化部３０１−１および３０１−２には、同一の情報ビット系列Ｔが入力され、同一の符号化処理が施される。ただし、図８ではビット系列Ｔが二つの基地局装置３００−１および３００−２で共有されているが、ビット系列Ｔは共有せずに何れかの符号化部で符号化処理された符号化ビット系列が他方の基地局装置に通知される構成としても良い。この場合、基地局間で共有する情報量は増加するが、一方の基地局装置における符号化処理を省略することができる。
【００９１】
制御情報受信部３０３−１は、端末装置４００から送信された自局宛の制御情報を受信アンテナ３０２−１を介して受信する。制御情報には、インターリーブ系列の制御パラメータρが含まれ、制御情報受信部３０３−１は、該ρをインターリーブ系列生成部３０４−１に入力する。ただし、制御情報には、端末装置４００が通知するその他の情報が含まれて良い。また、制御情報受信部３０３−１から出力される制御パラメータρと制御情報受信部３０３-２から出力される制御パラメータρは同一のものである。したがって、受信アンテナ３０２−１と３０２−２および制御情報受信部３０３−１と３０３−２は同一の処理が行われるため、基地局装置３００−１あるいは基地局装置３００−２の何れかにおいてのみ処理を行ない、出力されるρがインターリーブ系列生成部３０４−１および３０４−２に入力される構成としても良い。
【００９２】
インターリーブ系列生成部３０４−１は、インターリーブ部３０５−１に入力される（符号化部３０１−１から出力される）符号化ビットの系列長やユーザ識別番号等の送信パラメータと、制御情報受信部３０３−１から入力される制御パラメータρに応じてインターリーブ部３０５−１で用いるインターリーブ系列Π１を生成する。
【００９３】
ここで基地局装置３００−１のインターリーブ系列生成部３０４−１で生成されるインターリーブ系列Π１および基地局装置３００−２のインターリーブ系列生成部３０４−２で生成されるインターリーブ系列Π２は、各基地局装置をそれぞれ１つのレイヤとみなしたときに、第１の実施形態のインターリーブ系列生成部１０４で生成されるΠｍのＭを基地局装置数とした場合と同様のものである。すなわちΠｍ＝［πｍ，１、πｍ，２、…、πｍ，ｑ、…、πｍ，Ｎｃ］Ｔであり、πｍ，ｑはｍ番目の基地局装置３００−ｍにおいて、インターリーブ後のｑ番目のビットがインターリーブ前の何番目のビットであるかを示すベクトルである。よって、π１，ｑ＝π２，ｑであれば、インターリーブ部３０５−１から出力されるｑ番目のビットとインターリーブ部３０５−２から出力されるｑ番目のビットが同一となる事を示している。
【００９４】
インターリーブ系列生成部３０４−１および３０４−２は、制御情報受信部３０３−１および３０３−２より入力される制御パラメータρに応じて、インターリーブ系列Π１、Π２のうちπ１，ｑ＝π２，ｑとなるｑの割合を制御する。ρは０〜１の範囲の値をとり、ρは基地局装置間でπ１，ｑ≠π２，ｑとなる割合であり、（１−ρ）が基地局装置間でπ１，ｑ＝π２，ｑとなる割合である。よってρ＝０である場合には、インターリーブ部３０５−１と３０５−２から出力されるビット系列は同一のインターリーブによる同一の系列となり、ρ＝１である場合には各インターリーブ部３０５−１と３０５−２から出力されるビット系列は互いに異なる系列となる。
【００９５】
０＜ρ＜１である場合、行列Πｍの何番目の行ベクトルを、他のレイヤと同一にするかの規則はシステムで任意に定められて良い。例えば行数Ｎｃのうち１番目から（１−ρ）Ｎｃ番目までを同一としても良いし、ＯＦＤＭ信号生成部３０７−１、３０７−２内の変調部１１１−１、１１１−２においてＮｃ個の符号化ビットから生成されるＮｓ個の変調シンボルのうち1番目のシンボルから（１−ρ）Ｎｓ番目のシンボルに相当する符号化ビットに該当する行を同一としても良い。また、（１−ρ）Ｎｃあるいは（１−ρ）Ｎｓが整数とならない場合に、天井関数を用いて（１−ρ）Ｎｃ以上あるいは（１−ρ）Ｎｓ以上となる最小の整数として定められて良い。但し、該規則は受信装置である端末装置４００においても既知である。
【００９６】
ただし、図８ではインターリーブ系列生成部３０４-１と３０４−２はそれぞれ独立に存在しているが、互いに前述のΠ１とΠ２の関係を満たす必要がある。そのためインターリーブ系列生成部３０４−１と３０４−２の間で通信が行われ同期をとるように動作しても良いし、あるいはいずれかのインターリーブ系列生成部３０４−１または３０４−２が協調する基地局装置全てのΠｍを生成し、各基地局装置のインターリーブ部３０５−１および３０５−２にそれぞれΠ１およびΠ２を通知するような構成としても良い。
【００９７】
インターリーブ部３０５−１および３０５−２では、インターリーブ系列生成部３０４−１および３０４−２から各々に通知されるインターリーブ系列に従い、符号化ビットのビット順の並び変えが行われる。例えば、符号化部３０１−１および３０１−２より入力される符号化ビット系列がベクトルｃ＝［ｃ１、ｃ２、…、ｃＮｃ］Ｔで表わされる場合、インターリーブ部３０５−ｍにおける処理はインターリーブ系列生成部３０４−ｍより入力される行列Πｍを用いて次式（６）により実現できる。ただし、ベクトルｃ´ｍは、インターリーブ部３０５−ｍより出力されるインターリーブ後のビット系列である。
【００９８】
【数６】
2014136756.tif 000008
【００９９】
なお、本実施形態ではインターリーブ系列生成部３０４−ｍおよびインターリーブ部３０５−ｍにおけるインターリーブ処理は行列演算により示したが、任意の回路により同様の処理を実現して良い。インターリーブ部３０５−ｍでインターリーブが施された符号化ビット系列は、ＯＦＤＭ信号生成部３０７−ｍに出力される。
【０１００】
参照信号生成部３０６−１と３０６−２では、互いに共有した参照信号系列から、他の基地局と互いに直交する参照信号が生成される。これは、端末装置４００で協調している全ての基地局からの伝搬路特性を推定できるようにするためである。生成された参照信号はそれぞれＯＦＤＭ信号生成部３０７−１と３０７−２に出力される。
【０１０１】
ＯＦＤＭ信号生成部３０７−１およびＯＦＤＭ信号生成部３０７−２は各々第１の実施形態にかかるＯＦＤＭ信号生成部１０７−ｍの構成を示す図３と同一のブロック構成で実現できるためここでは説明を省略する。ただし、図３において変調部１１１−ｍに入力されるビット系列はインターリーブ部３０５−ｍから入力され、周波数マッピング部１１２−ｍに入力される参照信号は参照信号生成部３０６−ｍから入力され、無線送信部１１５−ｍが出力する送信信号は送信アンテナ３０８−ｍである点が異なる。
【０１０２】
ＯＦＤＭ信号生成部３０７−１および３０７−２から出力される送信信号は送信アンテナ３０８−１および３０８−２を介して端末装置４００へ送信される。
【０１０３】
ここで、基地局装置３００−１と、該基地局と協調する基地局装置３００−２との間で共有するビット系列、インターリーブ系列、参照信号系列の共有方法については、例えばＬＴＥなどで仕様化されている有線のＸ２インターフェースを用いて共有してもよいし、ＩＰ（Internet Protocol）ネットワークを介して共有してもよい。また、ＲＲＨ（Ｒｅｍｏｔｅ  Ｒａｄｉｏ  Ｈｅａｄ）や張り出しアンテナのように局間を光ファイバで接続していればそのファイバを用いて共有してもよい。また、本実施形態では基地局装置間で協調したが、複数の送信ポイント（リレー局装置やフェムト基地局装置、ピコ基地局装置など）で協調して同一データを送信する方法であれば如何なる方式でも適用できる。また、３局以上の基地局装置など、３つ以上の送信ポイントで協調する場合でも同様に適用可能である。
【０１０４】
端末装置４００の構成は、図４の端末装置２００と同一である。すなわち、本実施形態でも、第１の実施形態と同様に、複数のレイヤで送信された信号を、繰り返し処理部２０７においてＭＩＭＯ分離した後に合成している。これにより、送信側（基地局装置３００−１、３００−２）で把握している伝搬路推定値に依存せずに、効率良く合成することができ、周波数利用効率の高い伝送を行うことができる。
【０１０５】
なお、本実施形態では、基地局装置３００−１、３００−２の各々から、各レイヤの信号を送信する構成としたが、周波数マッピング部１１２−ｍの出力に対して、プレコーディング行列を乗算して、送信する信号を生成する構成としてもよい。または、協調する基地局のうちのいずれかにおいて、基地局装置１００と同様に周波数マッピング部１１２−ｍによるマッピングが行われ、その結果に対してプレコーディング行列を乗算して、各基地局から送信する信号を生成する構成としてもよい。これらのような構成としても、本実施形態と同様に、複数のレイヤで送信された信号を、ＭＩＭＯ分離した後に繰り返し処理部２０７で合成することで、効率良く合成することができる。
【０１０６】
ただし、本実施形態においてインターリーブ法として符号化ビット系列全体でインターリーブを行なうビットインターリーブを用いたが、サブキャリア毎のインターリーブを適用してもよい。この場合の例としては、所定の複数のサブキャリアに対して各送信アンテナで同一のインターリーブパターンを適用し、その他のサブキャリアに対しては各送信アンテナで異なるインターリーブパターンを適用する等がある。
【０１０７】
ただし、本実施形態では端末装置４００がインターリーバ制御部２０４を備え、該インターリーバ制御部２０４においてρを選択する形態を示したが、インターリーバ制御部は基地局装置３００が備えていても良い。この場合、基地局装置３００が端末装置４００から通知される伝搬路情報やその他の制御情報に基づいて前述のインターリーバ制御部２０４と同様にρを選択することで本実施形態と同様の動作を実現できる。また、基地局装置３００で既知である任意の情報でρを決定しても良い。
【０１０８】
また本実施形態において、いかなるρを用いる場合においてもＭＩＭＯ分離部２２３によって信号を分離し、合成部２２８においてＬＬＲを合成する例を示したが、全基地局装置の送信アンテナで同じスペクトルを送信している場合、ＭＩＭＯ分離部２２３で各送信アンテナが送信する信号を信号分離せず、最大比合成することで得られる信号を用いてＬＬＲを算出し、復号部２２９に入力する構成としてもよい。この場合、繰り返し処理による計算量の増大を防ぐことができる。
【０１０９】
以上、第２の実施形態では複数の基地局装置３００−１、３００−２から１つの端末装置４００に対し、同一のビット系列Ｔを送信する際の送信方法について示した。前述したように、同一のビット系列Ｔに対し基地局装置３００−１、３００−２毎にインターリーブを行ない、且つ該インターリーブは、符号化ビット系列のうち所定の割合のビットに対しては、基地局装置３００−１、３００−２間で異なる位置への並び替えを行ない、その他のビットに対しては、基地局間で同一の位置への並び替えを行なう。このような方法を用いた場合、端末装置４００において異なる位置への並び替えを行なったビット同士のＬＬＲを合成しつつ、同一の位置への並び替えを行なうことによりレイヤ間の干渉を抑え、復号の信頼性を改善することができるため、周波数利用効率の高い伝送を行なうことができる。
【０１１０】
［第３の実施形態］
以下、図面を参照しながら、本発明の第３の実施形態について説明する。本実施形態における無線通信システム１０ａは、マルチアンテナを用いた上りリンク（端末装置１００ａから基地局装置２００ａへの伝送）におけるＣＳＩ（Ｃｈａｎｎｅｌ  Ｓｔａｔｅ  Ｉｎｆｏｒｍａｔｉｏｎ）を共有しない送信ダイバーシチ伝送を行なう。なお、伝送方式は上記実施形態の様なＯＦＤＭ（Ｏｒｔｈｏｇｏｎａｌ  Ｆｒｅｑｅｎｃｙ  Ｄｉｖｉｓｉｏｎ  Ｍｕｌｔｉｐｌｅｘｉｎｇ）ではなく、ＤＦＴ−Ｓ−ＯＦＤＭ（Ｄｉｓｃｒｅｔｅ  Ｆｏｕｒｉｅｒ  Ｔｒａｎｓｆｏｒｍ  Ｓｐｒｅａｄ  ＯＦＤＭ）である場合について説明を行なう。図９は、本実施形態における無線通信システム１０ａの構成を示す概念図である。図９に示すように、無線通信システム１０ａは、Ｍ本の送信アンテナを備える端末装置１００ａと、Ｎ本の受信アンテナを備える基地局装置２００ａとを含んで構成される。
【０１１１】
図１０は、本実施形態における送信装置である端末装置１００ａの構成を示す概略ブロック図である。ただし、端末装置１００ａから基地局装置２００ａへの送信である上りリンクに関連する部分のみのブロック図としており、下りリンクの通信を行う部分などは省略している。図１０に示す端末装置１００ａの構成は、図２の基地局装置１００の構成とほぼ同様であるが、ＯＦＤＭ信号生成部１０７−１〜１０７−ＭがＤＦＴ−Ｓ−ＯＦＤＭ信号生成部５０１−１〜５０１−Ｍである点が異なる。なお、図１０において、図２の各部に対応する部分には、同一の符号を付し、説明を省略する。
【０１１２】
図１１は、ＤＦＴ−Ｓ−ＯＦＤＭ信号生成部５０１−ｍ（ｍ＝１、２、…、Ｍ）内部構成を示す概略ブロック図である。図１１は図３のＯＦＤＭ信号生成部１０７−ｍの内部構成と同様であるが、変調部１１１−ｍの出力が、ＤＦＴ部５０２−ｍを介して周波数マッピング部１１２−ｍに入力される点が異なる。なお、図１１において、図３の各部に対応する部分には、同一の符号を付し、説明を省略する。ＤＦＴ部５０２−ｍは、変調部１１１−ｍが生成した変調シンボルの系列に対して、離散フーリエ変換を施して、周波数領域の信号（データスペクトル）を生成する。
【０１１３】
このように、端末装置１００ａでは、変調シンボルに離散フーリエ変換（ＤＦＴ）を適用することで、送信信号の時間波形が、ＯＦＤＭと比較して低ＰＡＰＲ（Ｐｅａｋ  ｔｏ  Ａｖｅｒａｇｅ  Ｐｏｗｅｒ  Ｒａｔｉｏ）特性となる利点が得られる。また参照信号生成部１０６で生成される参照信号もダウンリンクとは異なり、復調に用いる参照信号であるＤＭ（Ｄｅ−Ｍｏｄｕｌａｔｉｏｎ）−ＲＳだけでなく、伝送に用いる帯域を決定する用途の参照信号であるＳＲＳ（Ｓｏｕｎｄｉｎｇ  ＲＳ）も生成され、周波数マッピング部１１２−ｍでそれぞれ時間と周波数のリソースに配置される。なお、周波数マッピング部１１２−ｍでのデータスペクトルの配置は、ＯＦＤＭの場合と同様、連続であっても非連続であってもよい。
【０１１４】
基地局装置２００ａは、図１０の端末装置１００ａにより送信された信号を受信し、その構成は、図４の端末装置２００と同様である。ただし、図４内の繰り返し処理部２０７の内部構成を示す図６において、レイヤ処理部２２４−ｍ（ｍ＝１、２、…、Ｍ）に代えてレイヤ処理部６００−ｍ（ｍ＝１、２、…、Ｍ）を有する点が異なる。図１２は、レイヤ処理部６００−ｍの内部構成を示す概略ブロック図である。図１２のレイヤ処理部６００−ｍが図６におけるレイヤ処理部２２４−ｍと異なる点は、３点ある。
【０１１５】
１つ目は、加算部２２５−ｍの出力がＩＤＦＴ部６０１−ｍにより逆離散フーリエ変換（Ｉｎｖｅｒｓｅ  ＤＦＴ）された後、復調部２２６−ｍに入力される点である。２つ目は、シンボルレプリカ生成部２３１−ｍに代えて、シンボルレプリカ生成部６０２−ｍを有する点である。図６のシンボルレプリカ生成部２３１−ｍのように、ＯＦＤＭ信号の場合、シンボルレプリカ生成部２３１−ｍに入力されるビットＬＬＲを、直接シンボルレプリカの期待値とする。しかし、シンボルレプリカ生成部６０２−ｍでは、ＤＦＴ−Ｓ−ＯＦＤＭ、すなわちシングルキャリア伝送に対応しており、ＩＤＦＴによる変調シンボルの逆拡散が存在するため、シンボルレプリカ生成部６０２−ｍに入力されるビットＬＬＲの平均値を各シンボルレプリカの期待値とする点が異なる。３つ目は、シンボルレプリカ生成部６０２−ｍの出力がＤＦＴ部６０３−ｍにより離散フーリエ変換された後、レプリカ生成部２３２および加算部２２５−ｍに入力される点である。
【０１１６】
基地局装置２００ａは、図６の端末装置２００と同様に、複数のレイヤで送信された信号を、ＭＩＭＯ分離した後に、合成部２２８で合成している。これにより、送信側（端末装置１００ａ）で把握している伝搬路推定値に依存せずに、効率良く合成することができ、周波数利用効率の高い伝送を行うことができる。このように、シングルキャリア伝送を用いた場合も、第１および第２の実施形態と同様の効果を得ることができる。
【０１１７】
［第４の実施形態］
以下、図面を参照しながら、本発明の第４の実施形態について説明する。第３の実施形態では、第１および第２の実施形態と同様に、同一のビット系列に対し、レイヤ間でインターリーブ系列の少なくとも一部が異なるインターリーブを適用して複数の異なる信号を生成し、これらの信号を空間的に多重して送信する場合について説明したが、本実施形態では、同様の効果を得る方法として、周波数領域でインターリーブ（スペクトルの並べ替え）を行なう方法を用いる。以下にその構成例について説明を行う。
【０１１８】
本実施形態における無線通信システム１０ｂは、図９の無線通信システム１０ａと同様に、Ｍ本の送信アンテナを有する端末装置１００ｂと、Ｎ本の受信アンテナを有する基地局装置２００ｂとを含んで構成される。図１３は、端末装置１００ｂの構成を示す概略ブロック図である。
【０１１９】
端末装置１００ｂは、符号化部７０１、インターリーブ部７０２、変調部７０３、ＤＦＴ部７０４、受信アンテナ７０５、制御情報受信部７０６、サイクリックシフト量決定部７０７、Ｍ個のサイクリックシフト部７０８−１〜７０８−Ｍ、参照信号生成部７０９、Ｍ個の周波数マッピング部７１０−１〜７１０−Ｍ、Ｍ個のＩＦＦＴ部７１１−１〜７１１−Ｍ、Ｍ個のＣＰ挿入部７１２−１〜７１２−Ｍ、Ｍ個の無線送信部７１３−１〜７１３−Ｍ、Ｍ本の送信アンテナ７１４−１〜７１４−Ｍを含んで構成される。
【０１２０】
図１３の符号化部７０１、受信アンテナ７０５、制御情報受信部７０６、参照信号生成部７０９および送信アンテナ７１４−１〜７１４−Ｍは、それぞれ図１０の符号化部１０１、受信アンテナ１０２、制御情報受信部１０３、参照信号生成部１０６および送信アンテナ１０８−１〜１０８〜Ｍと同様の機能を有する。また図１３の変調部７０３、ＤＦＴ部７０４、周波数マッピング部７１０−１〜７１０〜Ｍ、ＩＦＦＴ部７１１−１〜７１１−Ｍ、ＣＰ挿入部７１２−１〜７１２−Ｍ、無線送信部７１３−１〜７１３−Ｍは、それぞれ図１１の変調部１１１−ｍ、ＤＦＴ部５０２−ｍ、周波数マッピング部１１２−ｍ、ＩＦＦＴ部１１３−ｍ、ＣＰ挿入部１１４−ｍおよび無線送信部１１５−ｍと同様の機能を有する。よってこれらのブロックの機能についてはその説明を省略する。
【０１２１】
端末装置１００ｂでは、符号化部７０１の出力はインターリーブ部７０２に入力される。インターリーブ部７０２では、符号化部１０１の出力（符号化ビット系列）に対して、各レイヤで共通の所定のインターリーブが適用される。そして、変調部７０３およびＤＦＴ７０４を介して生成されたシングルキャリアスペクトルは、同一のスペクトルがサイクリックシフト部７０８−１〜７０８−Ｍに入力される。
【０１２２】
サイクリックシフト量決定部７０７は、サイクリックシフト部７０８−１〜７０８−Ｍの各々において行なうサイクリックシフトのシフト量を決定する。ここでサイクリックシフトとは周波数領域での巡回シフトを示し、例えばＤＦＴ部７０４から入力されるシングルキャリアスペクトルがＳ（ｋ）（０≦ｋ≦ＮＤＦＴ−１）、サイクリックシフト量がΔの場合サイクリックシフト部７０８−１〜７０８−Ｍの出力Ｓ’（ｋ）（０≦ｋ≦ＮＤＦＴ−１）は次式（７）で表わされる。
【０１２３】
【数７】
2014136756.tif 000009
【０１２４】
サイクリックシフト量決定部７０７には制御情報受信部７０６の出力である制御パラメータρが入力され、該ρに基づいてシフト量の切り替えを行なう。具体的には、入力される制御パラメータρは、１つの符号化ビット系列から生成された複数のシングルキャリアシンボル（ＤＦＴ−Ｓ−ＯＦＤＭシンボル）のうち、レイヤ間で異なるサイクリックシフト量を与えるシンボルの割合である。
【０１２５】
図１４に、シングルキャリアスペクトルを生成するためのＤＦＴのサイズをＮＤＦＴ、１つの符号化ビット系列から生成されるスペクトルの数が５、レイヤ数が２、制御パラメータρ＝０．６とした場合に設定されるサイクリックシフト量の一例を示す。図１４では、同一符号化ビット系列から生成される５つのスペクトル１〜スペクトル５がサイクリックシフト部７０８−１および７０８−２に入力される。
【０１２６】
このときサイクリックシフト部７０８−１で設定するサイクリックシフト量Δ１は各スペクトルで常に０とし、サイクリックシフト部７０８−２で設定するサイクリックシフト量Δ２はスペクトル１〜スペクトル３でＮＤＦＴ／２とし、スペクトル４およびスペクトル５で０としている。これにより２つのレイヤ間のシフト量の差はスペクトル１〜スペクトル３でＮＤＦＴ／２となり、スペクトル４およびスペクトル５となる。このようにスペクトル毎に設定された各レイヤのサイクリックシフト量はサイクリックシフト部７０８−１〜７０８−Ｍに入力され、式（７）に基づいてシフト処理が行われ、周波数マッピング部７１０−１〜７１０−Ｍに出力される。
【０１２７】
なお、本実施形態では周波数領域でのサイクリックシフトが、時間波形のＰＡＰＲに影響を与えないことを踏まえ、サイクリックシフトを行っているが、ＰＡＰＲが問題とならなければ、周波数スペクトルをインターリーブする構成としてもよい。この場合、本実施形態のようにシングルキャリアシンボル毎にレイヤ間で同一のインターリーブを周波数スペクトルに対して適用するか異なるインターリーブを周波数スペクトルに対して適用するかを切り替えても良いし、あるいは１シングルキャリアシンボル内で、異なるインターリーブを行なう帯域の割合をρとなるように制御しても良い。また、サイクリックシフトを用いる場合においても、１シングルキャリアシンボルの中のシングルキャリアスペクトルのうちρで示される割合のスペクトルに対してのみ、サイクリックシフト処理を行なっても良い。
【０１２８】
以降は、図１０の端末装置１００ａと同様の処理が行なわれ、送信アンテナ７１４−１〜７１４−Ｍから送信される。
【０１２９】
本実施形態における基地局装置２００ｂの構成は、図４の端末装置２００と基本的には同様となるが、繰り返し処理部２０７に変えて、繰り返し処理部２０７ｂを有する点が異なる。図１５は、繰り返し処理部２０７ｂの構成を示す概略ブロック図である。繰り返し処理部２０７ｂは、キャンセル部８０１−１〜８０１−Ｎ、重み生成部８０２、ＭＩＭＯ分離部８０３、デサイクリックシフト部８０４−１〜８０４−Ｍ、合成部８０５、加算部８０６、ＩＤＦＴ部８０７、復調部８０８、デインターリーブ部８０９、復号部８１０、インターリーブ部８１１、シンボルレプリカ生成部８１２、ＤＦＴ部８１３、サイクリックシフト部８１４−１〜８１４−Ｍ、レプリカ生成部８１５およびサイクリックシフト量決定部８１６から構成される。
【０１３０】
ここでキャンセル部８０１−１〜８０１−Ｎ、重み生成部８０２、ＭＩＭＯ分離部８０３、復号部８１０およびレプリカ生成部８１５は、図６におけるキャンセル部２２１−１〜２２１−Ｎ、重み生成部２２２、ＭＩＭＯ分離部２２３、復号部２２９およびレプリカ生成部２３２と同様の機能を有する。また図１５における加算部８０６、ＩＤＦＴ部８０７、復調部８０８、シンボルレプリカ生成部８１２、ＤＦＴ部８１３は、図１２における加算部２２５−ｍ、ＩＤＦＴ部６０１−ｍ、復調部２２６−ｍ、シンボルレプリカ生成部６０２−ｍおよびＤＦＴ部６０３−ｍと同様の機能を有する。また、サイクリックシフト量決定部８１６は、図１３のサイクリックシフト量決定部７０７と同様の機能を有する。
よってこれらのブロックについては説明を省略する。ただし、サイクリックシフト量決定部８１６には、インターリーバ制御部２０４から制御パラメータρが入力される。
【０１３１】
ＭＩＭＯ分離部８０３で分離された各レイヤの信号は、デサイクリックシフト部８０４−１〜８０４−Ｍのうち、それぞれ対応するものに入力される。例えば、図１３の送信アンテナ７１４−１に対応するレイヤの信号は、デサイクリックシフト部８０４−１に入力され、送信アンテナ７１４−Ｍに対応するレイヤの信号は、デサイクリックシフト部８０４−Ｍに入力される。デサイクリックシフト部８０４−１〜８０４−Ｍの各々は、ＭＩＭＯ分離部８０３から入力された信号に対して、サイクリックシフト量決定部８１６から指定されたサイクリックシフトを元に戻す処理を行う。すなわち、デサイクリックシフト部８０４−１〜８０４−Ｍの各々では、図１３のサイクリックシフト部７０８−１〜７０８−Ｍのうち、対応するもので適用されたサイクリックシフトを元に戻す処理が行われる。
例えば、ＭＩＭＯ分離部８０４から入力されるシングルキャリアスペクトルがＧ（ｋ）（０≦ｋ≦ＮＤＦＴ−１）であり、サイクリックシフト部７０８−１におけるサイクリックシフト量がΔの場合、デサイクリックシフト部８０４−１の出力Ｇ’（ｋ）（０≦ｋ≦ＮＤＦＴ−１）は次式（８）で表わされる。
【０１３２】
【数８】
2014136756.tif 000010
【０１３３】
なお、基地局装置２００ｂでサイクリックシフトではなく周波数インターリーブを適用している場合は、デインターリーブを行うことで周波数スペクトルの順番を元に戻す処理が行なわれる。デサイクリックシフト部８０４−１〜８０４−Ｍの出力は合成部８０５に入力される。
【０１３４】
合成部８０５では、デサイクリックシフト部８０４−１〜８０４−Ｍから入力されるスペクトルが合成（加算）される。スペクトルの順序が揃っているため、受信エネルギーを合成することができる。合成部８０５の出力は加算部８０６に入力される。
【０１３５】
またここで、Ｍ本の送信アンテナで異なるサイクリックシフト量が設定される場合、各周波数スペクトルは送信アンテナ毎に異なる周波数で送信されることになる。つまり、受信装置側では、同一スペクトルがＭ個のサブキャリアで受信されることになる。さらに受信アンテナ数がＮ本の場合、同一スペクトルがＭ×Ｎ箇所で受信されることになる。これは受信アンテナ数がＭ×Ｎ本であったと考えることができるため、ＭＩＭＯ分離部８０３で乗算する重みを変更することで特性改善を図ることができる。例えば、Ｍ＝３の場合、図１６に示されるように、点線の四角で囲んだ周波数のスペクトルはそれぞれの送信アンテナから異なる周波数で送信されている。この場合、この周波数の振幅を計算するための連立方程式を受信アンテナあたり３本作ることができ、これを各受信アンテナで構成することができるため、３Ｎ個の連立方程式、すなわち受信アンテナ数を３Ｎとみなすことができる。
【０１３６】
復調部８０８の出力であるビットＬＬＲは、デインターリーブ部８０９に入力される。
デインターリーブ部８０９は図１３のインターリーブ部７０２で用いられたインターリーブ処理の逆処理、すなわち並び替えを元に戻す処理が行われ、図１３の符号化部の出力である符号化ビット系列に対応したビットＬＬＲが復号部８１０に出力される。
【０１３７】
また、復号部８１０の出力は、インターリーブ部８１１に入力され、図１３のインターリーブ部７０２と同一のインターリーブ処理が行われ、シンボルレプリカ生成部８１２に出力される。ＤＦＴ部８１３の出力は、加算部８０６およびサイクリックシフト部８１４−１〜８１４−Ｍに入力される。
【０１３８】
サイクリックシフト部８１４−１〜８１４−Ｍの各々では、ＤＦＴ部８１３から入力された周波数スペクトルに対して、サイクリックシフト量決定部８１６から指定されたサイクリックシフトに従い、サイクリックシフトが行われ、サイクリックシフトされた信号はレプリカ生成部８１５に入力される。すなわち、サイクリックシフト部８１４−１〜８１４−Ｍの各々では、図１３のサイクリックシフト部７０８−１〜７０８−Ｍのうち、対応するものと同じサイクリックシフト量が適用される。
【０１３９】
本実施形態では、シングルキャリア伝送を用いて、送信機の複数の送信アンテナから同じ情報を送信する際に、所定の割合のシングルキャリアスペクトルは送信アンテナ間で異なるスペクトルとなるように処理した上で送信し、その他のシングルキャリアスペクトルは送信アンテナ間で同一のスペクトルとして送信する例について説明を行なった。このとき送信アンテナ間では同一のビットインターリーブを用いた上で、周波数スペクトルに対して異なるサイクリックシフトを適用することで、ビットＬＬＲを合成するのではなく、周波数スペクトルの合成を行う様に処理する。この結果、ビットＬＬＲを合成する場合に比べて、ＩＤＦＴや復調の回数を削減できる。
【０１４０】
また上記のように、特定のシングルキャリアスペクトルに対してのみサイクリックシフト処理を行なうことで符号化ビット系列全体でのレイヤ間での干渉を抑圧し、残留干渉によるスループットの低下を抑えることができる。
【０１４１】
なお、インターリーブではなくサイクリックシフトを用いる送信方法はシングルキャリア伝送のみならず、ＯＦＤＭのようなマルチキャリア伝送にも当然適用可能である。さらにＯＦＤＭの場合は、周波数インターリーブを適用してもＰＡＰＲ特性が変わらないという効果がある。
【０１４２】
なお、第１から第４の実施形態では、各送信アンテナまたは協調する基地局装置で同一の変調方式を適用することを前提に説明したが、インターリーブと変調方式を送信アンテナ毎または基地局毎に異なるものとしても良いし、インターリーブは同じものとし、変調方式のみをアンテナ毎または基地局毎に異なるものとしても良く、同様の効果が得られる。ただし、変調方式を変更する場合には、復調処理とシンボルレプリカ生成も送信で使用した変調方式に応じて処理をする必要がある。また、システマティックビットが存在する符号化方法であれば、アンテナ毎または基地局毎に符号化方法を変更しても良い。符号化率においても同様にアンテナ毎または基地局毎に変更しても良い。さらに、送信アンテナ数または基地局数が３以上の場合に、２つの異なるインターリーブと２つの異なる変調方式を用いるなどといった方法も用いることができ、このような第１から第４の実施形態の一部を組み合わせた形態も本発明に含まれる。
【０１４３】
アンテナ数や協調する基地局数についても、限定はなく、各アンテナまたは基地局でデータ送信に使用するサブキャリア数を異なる値にしたり、異なる位置にしたりすることも可能である。また、ＤＦＴ−Ｓ−ＯＦＤＭに対し、周波数領域でクリッピング（周波数成分の欠落）を行うシステムでの適用も可能である。
【０１４４】
ただし、本発明では、ρの定義としてインターリーブ系列Π１〜ΠＭのうちπ１，ｑ≠…≠πｍ，ｑ≠…≠πＭ，ｑとなるｑの割合とし、（１−ρ）がπ１，ｑ＝…＝πｍ，ｑ＝…＝πＭ，ｑとなる割合としたが、レイヤ数が３以上の場合に一部のレイヤ間でのみ該定義を満たす形態も考えられる。例えばＭ＝３である場合にΠ１、Π２、Π３が存在する。Ｎｃ＝４、ρ＝０．５とすると、Πｍ＝［πｍ，１、πｍ，２、πｍ，３、πｍ，４］Ｔである。ここで、１番目のレイヤと２番目のレイヤでπ１，１≠π２，１およびπ１，２≠π２，２であり、π１，３＝π２，３およびπ１，４＝π２，４であるとする。ここで１番目と３番目のレイヤはπ１，１＝π３，１およびπ１，２＝π３，２であり、π１，３≠π３，３およびπ１，４≠π３，４とする形態も考えられる。このようにレイヤ毎に他のレイヤと同一のインターリーブを用いるビットを異なるものとすることで、一部のビットにレイヤ間干渉が集中することを回避し、各ビットの受信電力に対する干渉電力を低減することができる。
【０１４５】
本発明に関わる端末装置および基地局装置で動作するプログラムは、本発明に関わる上記実施形態の機能を実現するように、ＣＰＵ等を制御するプログラム（コンピュータを機能させるプログラム）である。そして、これら装置で取り扱われる情報は、その処理時に一時的にＲＡＭに蓄積され、その後、各種ＲＯＭやＨＤＤに格納され、必要に応じてＣＰＵによって読み出し、修正・書き込みが行なわれる。プログラムを格納する記録媒体としては、半導体媒体（例えば、ＲＯＭ、不揮発性メモリカード等）、光記録媒体（例えば、ＤＶＤ、ＭＯ、ＭＤ、ＣＤ、ＢＤ等）、磁気記録媒体（例えば、磁気テープ、フレキシブルディスク等）等のいずれであってもよい。また、ロードしたプログラムを実行することにより、上述した実施形態の機能が実現されるだけでなく、そのプログラムの指示に基づき、オペレーティングシステムあるいは他のアプリケーションプログラム等と共同して処理することにより、本発明の機能が実現される場合もある。
【０１４６】
また市場に流通させる場合には、可搬型の記録媒体にプログラムを格納して流通させたり、インターネット等のネットワークを介して接続されたサーバコンピュータに転送したりすることができる。この場合、サーバコンピュータの記憶装置も本発明に含まれる。また、上述した実施形態における端末装置および基地局装置の一部、または全部を典型的には集積回路であるＬＳＩとして実現してもよい。端末装置および基地局装置の各機能ブロックは個別にチップ化してもよいし、一部、または全部を集積してチップ化してもよい。
また、集積回路化の手法はＬＳＩに限らず専用回路、または汎用プロセッサで実現しても良い。また、半導体技術の進歩によりＬＳＩに代替する集積回路化の技術が出現した場合、当該技術による集積回路を用いることも可能である。
【０１４７】
以上、この発明の実施形態を、図面を参照して詳述してきたが、具体的な構成はこの実施形態に限られるものではなく、この発明の要旨を逸脱しない範囲の設計等も特許請求の範囲に含まれる。
【０１４８】
（１）本発明の一態様は、受信装置に対し、ビット系列を表す第１の無線信号を送信する無線通信装置であって、前記第１の無線信号は、前記ビット系列を表す第２の無線信号と同時に送信され、前記第１の無線信号と、前記第２の無線信号とのうち、所定の割合の成分は、前記第１の無線信号と前記第２の無線信号との間で、異なる周波数または異なる時間に配置され、残りの成分は、前記第１の無線信号と前記第２の無線信号との間で、同じ周波数かつ同じ時間に配置される。
【０１４９】
（２）また、本発明の他の態様は、（１）に記載の無線通信装置であって、前記ビット系列のうち、所定の割合のビットについては、第１のインターリーブを行い、残りのビットについては、第２のインターリーブを行なうインターリーブ部と、前記インターリーブ部が出力したビット系列から、前記第１の無線信号を生成し、送信する送信部とを具備し、前記第２の無線信号は、前記所定の割合のビットについて、前記第１のインターリーブとは異なる第３のインターリーブが行われたビット系列と、前記残りのビットについて、前記第２のインターリーブが行われたビット系列とから生成された無線信号であってもよい。
【０１５０】
（３）また、本発明の他の態様は、（１）に記載の無線通信装置であって、前記ビット系列に基づく複数の変調シンボルに対しＤＦＴ処理を施し、複数のシングルキャリアシンボルを生成するＤＦＴ部と、前記複数のシングルキャリアシンボルのうち、所定の割合のシングルキャリアシンボルについては、周波数領域で０以上のシフト量である第１のサイクリックシフトを行い、残りのシングルキャリアシンボルについては、周波数領域で０以上のシフト量である第２のサイクリックシフトを行うサイクリックシフト部と、前記サイクリックシフト部が出力したシングルキャリアシンボルから前記第１の無線信号を生成し、送信する送信部とを具備し、前記第２の無線信号は、前記複数のシングルキャリアシンボルのうち、所定の割合のシングルキャリアシンボルについては前記第１のサイクリックシフトとは異なるシフト量の第３のサイクリックシフトが行われ、残りのシングルキャリアシンボルについては前記第２のサイクリックシフトが行われた後に生成された無線信号であってもよい。
【０１５１】
（４）また、本発明の他の態様は、（１）から（３）のいずれかに記載の無線通信装置であって、前記第２の無線信号を自装置が生成し、送信してもよい。
【０１５２】
（５）また、本発明の他の態様は、（１）から（３）のいずれかに記載の無線通信装置であって、他の無線通信装置と協調して１つの受信装置に対し、前記ビット系列を送信する無線通信装置であり、前記第２の無線信号は、前記他の無線通信装置により生成され、送信されてもよい。
【０１５３】
（６）また、本発明の他の態様は、（１）から（５）のいずれかに記載の無線通信装置であって、前記所定の割合を表す情報が、前記受信装置より通知されてもよい。
【０１５４】
（７）また、本発明の他の態様は、（１）から（５）のいずれかに記載の無線通信装置であって、前記受信装置が前記第１の無線信号と前記第２の無線信号とを分離可能なように、前記所定の割合を決定する割合決定部を具備してもよい。
【０１５５】
（８）また、本発明の他の態様は、同一のビット系列を表す第１の無線信号と第２の無線信号とが空間多重された信号を受信する受信部と、前記受信部が受信した信号を、前記第１の無線信号の成分と前記第２の無線信号の成分とに分離する分離部とを具備し、前記第１の無線信号は、前記ビット系列を表す第２の無線信号と同時に送信され、前記第１の無線信号と、前記第２の無線信号とのうち、所定の割合の成分は、前記第１の無線信号と前記第２の無線信号との間で、異なる周波数または異なる時間に配置され、残りの成分は、前記第１の無線信号と前記第２の無線信号との間で、同じ周波数かつ同じ時間に配置される無線通信装置である。
【０１５６】
（９）また、本発明の他の態様は、（８）に記載の無線通信装置であって、前記第１の無線信号と前記第２の無線信号とを分離可能なように、前記所定の割合を決定する割合決定部と、前記第１の無線信号または前記第２の無線信号の送信元に、前記割合決定部が決定した割合を通知する割合通知部とを具備してもよい。
【０１５７】
（１０）また、本発明の他の態様は、ビット系列を表す第１の無線信号を生成する過程と、受信装置に対し、前記第１の無線信号を送信する過程とを有する無線通信方法であって、前記第１の無線信号は、前記ビット系列を表す第２の無線信号と同時に送信され、前記第１の無線信号と、前記第２の無線信号とのうち、所定の割合の成分は、前記第１の無線信号と前記第２の無線信号との間で、異なる周波数または異なる時間に配置され、残りの成分は、前記第１の無線信号と前記第２の無線信号との間で、同じ周波数かつ同じ時間に配置される。
【０１５８】
（１１）また、本発明の他の態様は、同一のビット系列を表す第１の無線信号と第２の無線信号とが空間多重された信号を受信する過程と、前記受信した信号を、前記第１の無線信号の成分と前記第２の無線信号の成分とに分離する過程とを有し、前記第１の無線信号は、前記ビット系列を表す第２の無線信号と同時に送信され、前記第１の無線信号と、前記第２の無線信号とのうち、所定の割合の成分は、前記第１の無線信号と前記第２の無線信号との間で、異なる周波数または異なる時間に配置され、残りの成分は、前記第１の無線信号と前記第２の無線信号との間で、同じ周波数かつ同じ時間に配置される無線通信方法である。
【産業上の利用可能性】
【０１５９】
本発明は、携帯電話装置を端末装置とする移動通信システムに用いて好適であるが、これに限定されない。
【符号の説明】
【０１６０】
１０、１０ａ、２０…無線通信システム、１００、２００ａ、３００−１、３００−２…基地局装置、１０１…符号化部、１０２…受信アンテナ、１０３…制御情報受信部、１０４…インターリーブ系列生成部、１０５−１、１０５−Ｍ…インターリーブ部、１０６…参照信号生成部、１０７−１、１０７−Ｍ…ＯＦＤＭ信号生成部、１０８−１、１０８−ｍ、１０８−Ｍ…送信アンテナ、１１１−ｍ…変調部、１１２−ｍ…周波数マッピング部、１１３−ｍ…ＩＦＦＴ部、１１４−ｍ…ＣＰ挿入部、１１５−ｍ…無線送信部、１００ａ、１００ｂ、２００、４００…端末装置、２０１−１、２０１−Ｎ…受信アンテナ、２０２−１、２０２−ｎ、２０２−Ｎ…ＯＦＤＭ信号受信処理部、２０３…伝搬路推定部、２０４…インターリーバ制御部、２０５…制御情報生成部、２０６…送信アンテナ、２０７…繰り返し処理部、２１１−ｎ…無線受信部、２１２−ｎ…ＣＰ除去部、２１３−ｎ…ＦＦＴ部、２１４−ｎ…周波数デマッピング部、２２１−１、２２１−Ｎ…キャンセル部、２２２…重み生成部、２２３・・ＭＩＭＯ分離部、２２４−１、２２４−Ｍ…レイヤ処理部、２２５−１…加算部、２２６−１…復調部、２２７−１…デインターリーブ部、２２８…合成部、２２９…復号部、２３０−１…インターリーブ部、２３１−１…シンボルレプリカ生成部、２３２…レプリカ生成部、２３３…インターリーブ系列生成部、３０１−１、３０１−２…符号化部、３０２−１、３０２−２…受信アンテナ、３０３−１、３０３−２…制御情報受信部、３０４−１、３０４−２…インターリーブ系列生成部、３０５−１、３０５−２…インターリーブ部、３０６−１、３０６−２…参照信号生成部、３０７−１、３０７−２…ＯＦＤＭ信号生成部、３０８−１、３０８−２…送信アンテナ、５０１−１、５０１−Ｍ…ＤＦＴ−Ｓ−ＯＦＤＭ信号生成部、５０２−ｍ…ＤＦＴ部、６００−ｍ…レイヤ処理部、６０１−ｍ…ＩＤＦＴ部、６０２−ｍ…シンボルレプリカ生成部、６０３−ｍ…ＤＦＴ部、７０１…符号化部、７０２…インターリーブ部、７０３…変調部、７０４…ＤＦＴ部、７０５…受信アンテナ、７０６…制御情報受信部、７０７…サイクリックシフト量決定部、７０８−１、７０８−Ｍ…サイクリックシフト部、７０９…参照信号生成部、７１０−１、７１０−Ｍ…周波数マッピング部、７１１−１、７１１−Ｍ…ＩＦＦＴ部、７１２−１、７１２−Ｍ…ＣＰ挿入部、７１３−１、７１３−Ｍ…無線送信部、７１４−１、７１４−Ｍ…送信アンテナ、８０１−１、８０１−Ｎ…キャンセル部、８０２…重み生成部、８０３…ＭＩＭＯ分離部、８０４−１、８０４−Ｍ…でサイクリックシフト部、８０５…合成部、８０６…加算部、８０９…デインターリーブ部、８１０…復号部、８１１…インターリーブ部、８１２…シンボルレプリカ生成部、８１３…ＤＦＴ部、８１４−１、８１４−Ｍ…サイクリックシフト部、８１５…レプリカ生成部、８１６…サイクリックシフト量決定部
【図１】
2014136756.tif 000011
【図２】
2014136756.tif 000012
【図３】
2014136756.tif 000013
【図４】
2014136756.tif 000014
【図５】
2014136756.tif 000015
【図６】
2014136756.tif 000016
【図７】
2014136756.tif 000017
【図８】
2014136756.tif 000018
【図９】
2014136756.tif 000019
【図１０】
2014136756.tif 000020
【図１１】
2014136756.tif 000021
【図１２】
2014136756.tif 000022
【図１３】
2014136756.tif 000023
【図１４】
2014136756.tif 000024
【図１５】
2014136756.tif 000025
【図１６】
2014136756.tif 000026
【図１７】
2014136756.tif 000027
【国際調査報告】
2014136756.tif 000028
2014136756.tif 000029
2014136756.tif 000030
2014136756.tif 000031